(57)【特許請求の範囲】
【請求項１】
外筒内に配設され後方へ付勢された筆記媒体と、
外筒内で回転可能かつ前後動可能に設けられ筆記媒体の後方移動を規制するカム筒と、カム筒の前進毎にカム筒を所定角度回転させてカム筒を前進位置と後退位置とに交互に移動させるカム本体と、カム筒を前方へ押し出し可能なカムバーとからなる回転カム機構と、
カムバーと一体に形成されまたはカムバーに連結されノック操作可能となったノック体と、
を備え、ノック体がノック操作されることにより、カム筒が回転すると共に軸方向に前後動して筆記媒体を駆動するノック式筆記具において、
外筒の周面の一部に内部が透視可能な窓を設け、
前記カム筒に対して相対的に軸方向に移動可能に且つ相対回転不能に連結されてカム筒の回転に連動して回転すると共にその外周面に文字または絵等の表示が付された回転ドラムを外筒内に外筒に対して軸方向に移動不能に配設し、該表示を前記窓から透視可能とすることを特徴とするノック式筆記具。
【請求項２】
前記カム筒と回転ドラムとは、いずれか一方に形成された多角形状孔に他方に形成された多角形状外筒面が嵌合することにより連結されることを特徴とする請求項１記載のノック式筆記具。
【請求項３】
外筒内に配設され後方へ付勢された筆記媒体と、
外筒内で回転不能かつ前後動可能に設けられ筆記媒体の後方移動を規制するカム筒と、外筒内で前後動不能に設けられカム筒の前進毎に所定角度回転してカム筒を前進位置と後退位置とに交互に移動させるカム本体と、カム筒を前方へ押し出し可能なカムバーとからなる回転カム機構と、
カムバーと一体に形成されまたはカムバーに連結されノック操作可能となったノック体と、
を備え、ノック体がノック操作されることにより、カム本体が回転してカム筒が軸方向に前後動して筆記媒体を駆動するノック式筆記具において、
外筒の周面の一部に内部が透視可能な窓を設け、前記カム本体の回転に連動して回転すると共にその外周面に文字または絵等の表示が付された回転ドラムを外筒内に配設し、該表示を前記窓から透視可能とすることを特徴とするノック式筆記具。
【請求項４】
前記回転ドラムはカム本体と一体に形成されることを特徴とする請求項３記載のノック式筆記具。
【請求項５】
前記窓内には透明体が設けられ、該透明体がレンズとなっていることを特徴とする請求項１ないし４のいずれか１項に記載のノック式筆記具。
【請求項６】
前記窓内には透明体が設けられ、該透明体と外筒の少なくとも一部は二色成形またはインサート成形の手法により一体成形されたものであることを特徴とする請求項１ないし５のいずれか１項に記載のノック式筆記具。
【請求項７】
外筒の窓を含む少なくとも一部は透明樹脂により成形されたものであり、前記窓の周囲の外筒の少なくとも一部には有色の印刷が施されていることを特徴とする請求項１ないし６のいずれか１項に記載のノック式筆記具。
【請求項８】
前記窓内には、透明体がはめ込まれていることを特徴とする請求項１ないし５のいずれか１項に記載のノック式筆記具。
【発明の詳細な説明】
【０００１】
【発明の属する技術分野】
本発明は、ノック式筆記具に関し、特に文字や模様等の絵のような表示が施されたノック式筆記具に関する。
【０００２】
【従来の技術】
従来のこの種のノック式筆記具としては、外筒の表面に印刷により、文字や模様が付されていることが一般的である。
【０００３】
【発明が解決しようとする課題】
しかしながら、かかる従来のノック式筆記具では、その表示に変化がなく、使用者の興味を引くものとは言い難い。
【０００４】
本発明はかかる課題に鑑みなされたもので、その表示を変化させることができるノック式筆記具を提供することをその目的とする。
【０００５】
【課題を解決するための手段】
上記目的を達成するために本発明のうち請求項１記載の発明では、外筒内に配設され後方へ付勢された筆記媒体と、外筒内で回転可能かつ前後動可能に設けられ筆記媒体の後方移動を規制するカム筒と、カム筒の前進毎にカム筒を所定角度回転させてカム筒を前進位置と後退位置とに交互に移動させるカム本体と、カム筒を前方へ押し出し可能なカムバーとからなる回転カム機構と、カムバーと一体に形成されまたはカムバーに連結されノック操作可能となったノック体と、を備え、ノック体がノック操作されることにより、カム筒が回転すると共に軸方向に前後動して、筆記媒体の先端を外筒先端から出没させるノック式筆記具において、外筒の周面の一部に内部が透視可能な窓を設け、前記カム筒に対して相対的に軸方向に移動可能に且つ相対回転不能に連結されてカム筒の回転に連動して回転すると共にその外周面に文字または絵等の表示が付された回転ドラムを外筒内に外筒に対して軸方向に移動不能に配設し、該表示を前記窓から透視可能とすることを特徴とする。
ノック体がノック操作され、ノック体と一体的にカムバーが前進すると、カムバーがカム筒を前方へ押し出し、カム筒は、前進と共に所定角度回転する。カム筒は、所定角度回転する毎に前進位置と後退位置とに交互に移動して、筆記媒体を駆動する。また、カム筒の回転に連動して回転ドラムが回転し、外筒の窓から見える回転ドラムの外周面に付された文字または絵等の表示が変化する。
【０００６】
カム筒は外筒に対して前後動すると共に回転を行うが、回転ドラムは外筒に対して軸方向に移動不能であるため、カム筒からの回転のみが回転ドラムへと伝達する。
【０００７】
請求項２記載の発明は、請求項１記載の前記カム筒と回転ドラムとが、いずれか一方に形成された多角形状孔に他方に形成された多角形状外筒面が嵌合することにより連結されることを特徴とする。
【０００８】
請求項３記載の発明は、外筒内に配設され後方へ付勢された筆記媒体と、外筒内で回転不能かつ前後動可能に設けられ筆記媒体の後方移動を規制するカム筒と、外筒内で前後動不能に設けられカム筒の前進毎に所定角度回転してカム筒を前進位置と後退位置とに交互に移動させるカム本体と、カム筒を前方へ押し出し可能なカムバーとからなる回転カム機構と、カムバーと一体に形成されまたはカムバーと一体的に連結されノック操作可能となったノック体と、を備え、ノック体がノック操作されることにより、カム本体が回転してカム筒が軸方向に前後動して筆記媒体を駆動するノック式筆記具において、外筒の周面の一部に内部が透視可能な窓を設け、前記カム本体の回転に連動して回転すると共にその外周面に文字または絵等の表示が付された回転ドラムを外筒内に配設し、該表示を前記窓から透視可能とすることを特徴とする。
ノック体がノック操作され、ノック体と一体的にカムバーが前進すると、カムバーがカム筒を前方へ押し出し、カム本体は、カムバーの前進と共に所定角度回転する。カム筒は、カム本体が所定角度回転する毎に前進位置と後退位置とに交互に移動して、筆記媒体を駆動する。また、カム本体の回転に連動して回転ドラムが回転し、外筒の窓から見える回転ドラムの外周面に付された文字または絵等の表示が変化する。
【０００９】
請求項４記載の発明は、請求項３記載の前記回転ドラムがカム本体と一体に形成されることを特徴とする。
【００１０】
窓は、単なる透孔とすることができるが、請求項５記載の発明は、請求項１ないし４のいずれか１項に記載の前記窓内に透明体が設けられ、該透明体がレンズとなっていることを特徴とする。
【００１１】
請求項６記載の発明は、請求項１ないし５のいずれか１項に記載の前記窓内に透明体が設けられ、該透明体と外筒の少なくとも一部は二色成形またはインサート成形の手法により一体成形されたものであることを特徴とする。
【００１２】
請求項７記載の発明は、請求項１ないし６のいずれか１項に記載の外筒の窓を含む少なくとも一部が透明樹脂により成形されたものであり、前記窓の周囲の外筒の少なくとも一部には有色の印刷が施されていることを特徴とする。
請求項８記載の発明は、請求項１ないし５のいずれか１項に記載の前記窓内に、透明体がはめ込まれていることを特徴とする。
【００１３】
【発明の実施の形態】
以下、図面を用いて本発明の実施の形態を説明する。
【００１４】
図１ないし図５は本発明の第１実施形態を表す図である。この実施形態では、ノック式筆記具としてボールペンを例示しており、図１はその全体図、図２はその縦断面図である。
【００１５】
図において、１０は、外筒であり、外筒１０は、先筒１２と、該先筒１２に螺着される後筒１４とから構成される。
【００１６】
外筒１０内には、レフィール（筆記媒体）１８が配設され、レフィール１８はレフィール１８のバネ受部１８ａと、先筒１２の内段部１２ａとの間に介挿されたリターンスプリング２０によって、常時後方へと付勢されている。
【００１７】
外筒１０の後内部には、公知の回転カム機構２２が配設されている。回転カム機構２２は、外筒１０内で回転可能かつ前後動可能となったカム筒２４と、カム筒２４の位置を規制するカム本体２６と、カム筒２４を前方へ押し出し可能なカムバー２８とから構成される。
【００１８】
カム筒２４内にはレフィール１８の後端が挿入されており、カム筒２４内の仕切壁２４ｂにレフィール１８の後端が当接して、レフィール１８の後方移動を規制している。また、カム筒２４の外周面には、カム本体２６の後述のカム面２６ａに係止可能な突起２４ａが形成され、また、その端面に鋸歯２４ｄが形成されている。
【００１９】
カム本体２６は、後筒１４と一体に形成されており（但し、後筒１４と別部材とすることも勿論可能である）、図５に示したように、その内周面に周方向に浅い溝２６ｂと、深い溝２６ｃとが山２６ｄを介して交互に形成されてなる。浅い溝２６ｂの先端には鋸状のカム面２６ａが形成されており、このカム面２６ａでカム筒２４の突起２４ａが係止される一方、深い溝２６ｃには、カム筒２４の突起２４ａが進入可能となっており、突起２４ａがカム面２６ａに係止された状態で、カム筒２４は前進位置に保持され、また、突起２４ａが深い溝２６ｃに進入された状態でカム筒２４が後退位置に保持される。
【００２０】
また、カムバー２８の外面には、カム本体２６の浅い溝２６ｂ及び深い溝２６ｃに摺動可能な複数の突起２８ａが形成されており、カムバー２８の先端には、カム筒２４を前方へ押し出し可能な鋸歯２８ｂが形成されている。また、カムバー２８の後端には一体的にノック体３０が連結されている。ノック体３０はカムバー２８と一体に形成することも可能である。
【００２１】
カム筒２４は、外筒１０内でカム筒２４の前方に配設された回転ドラム３２に、相対回転不能に連結される。即ち、図４に示すように、カム筒２４の前部は、縮径されると共に多角形状外面２４ｃとなっており、この多角形状外面２４ｃは、回転ドラム３２後端部内に形成された多角形状孔３２ａに挿入され、前記カム筒２４の回転に連動して回転ドラム３２が一体的に回転するようになっている。尚、このような多角形状外面と多角形状孔との嵌合によって回転ドラム３２をカム筒２４に対して相対回転不能とする他に、回転ドラム３２とカム筒２４のいずれか一方の面にキー、また他方の対向する面にキーに嵌合するキー溝を形成することで、両者を相対回転不能とすることも可能である。また、回転ドラム３２は、その前端が先筒１２の後端に当接し、且つその後端が後筒１４の段部１４ｂに当接しており、外筒１０内で回転可能且つ軸方向に移動不能となっている。
【００２２】
回転ドラム３２の外表面には、表示したい文字または図が印刷等により付されている。回転ドラム３２の文字または図等の表示３２ｂは、カム筒２４の回転ピッチにあわせて周方向に離散的に施しても良いが、周方向に連続した文字または図であっても良い。
【００２３】
回転ドラム３０の軸方向位置に対応して後筒１４の周面の一部は、窓１４ａとなっている。窓１４ａ内には、透明樹脂で形成された透明体が設けられると良く、透明体の肉厚を変化させる等してレンズ効果を持たせるようになっていると良い。
【００２４】
以上のように構成されるノック式筆記具の作用を説明する。今、レフィール１８の先端が外筒１０内に退没しているものとする。このとき、カム筒２４は、その突起２４ａがカム本体２６の深い溝２６ｃ内にあって、後退位置に保持されている（図５の仮想線位置）。ノック体３０をノックすると、カム回転機構２２の作用により、ノック体３０と一体的に作動するカムバー２８が前進し、カム筒２４を前方へ移動させる。そして、ノック体３０のノック力を解除すると、カム筒２４の突起２４ａは、カム本体２６の鋸状のカム面２６ａに誘導されて、カム面２６ａに係止される（図５の点線位置）。こうして、カム筒２４は前進位置に保持される。このとき、カム筒２４の回転に連動して、回転ドラム３２が回転するため（図５の矢印方向）、後筒１４の窓１４ａから見える文字または絵等の表示３２ｂが変化することになる。
【００２５】
また、さらにノック体３０をノックすると、カム回転機構２２の作用により、ノック体３０と一体的に作動するカムバー２８が前進し、カム筒２４を前方へ移動させる。そして、ノック体３０のノック力を解除するとカム筒２４は、再びカム本体２６の深い溝２６ｃへと誘導され、後退位置へと戻る。このときも、カム筒２４の回転に連動して、回転ドラム３２が回転するため、後筒１４の窓１４ａから見える文字または絵等の表示３２ｂが切り替わる。
【００２６】
こうして、ノック体３０のノックの度に、後筒１４の窓１４ａから見える文字または絵等の表示３２ｂが変化するために、使用者を飽きさせることなく、注意を喚起させることができる。
【００２７】
回転ドラム３２はカム筒２４と一体的に連結または一体に形成することも可能であるが、この実施形態のように、回転ドラム３２が、外筒１０に対して軸方向に移動不能となっており、カム筒２４が回転ドラム３２に対して回転不能且つ軸方向に移動可能とすることにより、回転ドラム３２は、前後動することなく周方向にのみ移動して表示３２ｂが切り替わるため、窓１４ａから眺めた表示３２ｂの切り替わりがスムーズで非常に見栄えが良いものとなっている。さらに、回転ドラム３２が前後動しないため、回転ドラム３２の軸方向の大きい範囲に亘って文字または絵等の表示３２ｂ領域をとることができ、それに合わせて窓１４ａを大きくすることができる。
【００２８】
また、回転ドラム３２とカム筒２４は多角形の形状同士を嵌合しているため、組み立ての際に、その軸方向の整合をとることが簡単にでき、両者を簡単に組み立てることができる。
【００２９】
次に、図６及び図７は、本発明の第２実施形態を表す図である。図において、第１実施形態と同一の部材は同一の符号を付し、その詳細説明を省略する。
【００３０】
図において、１０’は、外筒であり、外筒１０’は、先筒１２’と、該先筒１２’に螺着される後筒１４’とから構成される。この実施形態では、回転カム機構４２が第１実施形態のものと異なっており、回転カム機構４２は、外筒１０’内で回転不能かつ前後動可能となったカム筒４４と、カム筒４４の位置を規制するカム本体４６と、カム筒４４を前方へ押し出し可能なカムバー４８とから構成される。
【００３１】
カム筒４４内にはレフィール１８の後端が挿入されており、カム筒４４内の仕切壁４４ｂにレフィール１８の後端が当接して、レフィール１８の後方移動を規制している。また、カム筒４４の外周面には、カム本体４６の後述のカム面４６ａに係止可能な突起４４ａが形成され、また、その端面に鋸歯４４ｄが形成されている。また、カム筒４４の前部には、縦リブ４４ｃが形成されており、先筒１２’の後部内面に形成された縦溝１２’ｂに係合して、カム筒４４は、外筒内で回転不能となっている。
【００３２】
カム本体４６は、その環状突起４６ｅが後筒１４’の環状溝１４’ｂに嵌入して、後筒１４’に対して回転可能及び軸方向に移動不能に取り付けられている。また、図７に示したように、その内周面に周方向に浅い溝４６ｂと、深い溝４６ｃとが山４６ｄを介して交互に形成されている。浅い溝４６ｂの先端には鋸状のカム面４６ａが形成されており、このカム面４６ａでカム筒４４の突起４４ａが係止される一方、深い溝４６ｃには、カム筒４４の突起４４ａが進入可能となっており、突起４４ａがカム面４６ａに係止された状態で、カム筒４４は前進位置に保持され、また、突起４４ａが深い溝４６ｃに進入された状態でカム筒４４が後退位置に保持される。
【００３３】
また、カムバー４８は後筒１４’に対して回転可能且つ軸方向に移動可能となっており、その外面には、カム本体４６の浅い溝４６ｂ及び深い溝４６ｃに摺動可能な複数の突起４８ａが形成されており、カムバー４８の先端には、カム筒４４を前方へ押し出し可能な鋸歯４８ｂが形成されている。また、カムバー４８の後端には相対回転可能にノック体３０が連結されている。
【００３４】
カム本体４６は、その前部が回転ドラム５０と一体となっており、回転ドラム５０の外表面には、文字または図等の表示５０ａが印刷等により付されている。
【００３５】
以上のように構成されるノック式筆記具の作用を説明する。今、レフィール１８の先端が外筒１０’内に退没しているものとする。このとき、カム筒４４は、その突起４４ａがカム本体４６の深い溝４６ｃ内にあって、後退位置に保持されている（図７の仮想線位置）。ノック体３０をノックすると、カム回転機構４２の作用により、ノック体３０に相対回転可能に連結されたカムバー４８が前進し、カム筒４４を前方へ移動させる。そして、ノック体３０のノック力を解除すると、カム筒４４の突起４４ａの鋸歯４４ｄがカムバー４８の鋸歯４８ｂ及びカム本体４６の鋸状のカム面４６ａに誘導されて、カム本体４６及びカムバー４８を回転させて、カム本体４６のカム面４６ａに係止される（図７の点線位置）。こうして、カム筒４４は前進位置に保持される。このとき、カム本体４６の回転と共に回転ドラム５０が回転するため、後筒１４の窓１４ａから見える文字または絵等の表示５０ａが変化することになる。
【００３６】
また、さらにノック体３０をノックすると、カム回転機構４２の作用により、ノック体３０に相対回転可能に連結されたカムバー４８が前進し、カム筒４４を前方へ移動させる。そして、ノック体３０のノック力を解除するとカム筒４４は、カム本体４６を回転し、再びカム本体４６の深い溝４６ｃへと進入し、後退位置へと戻る。このときも、カム本体４６の回転と共に回転ドラム５０が回転するため、後筒１４’の窓１４ａから見える文字または絵の表示５０ａが切り替わる。
【００３７】
こうして、ノック体３０のノックの度に、後筒１４’の窓１４ａから見える文字または絵が変化するために、使用者を飽きさせることなく、注意を喚起させることができる。
【００３８】
回転ドラム５０は、カム本体４６と別部材として相対回転不能にカム本体４６に連結する事も可能であるが、この実施形態のようにカム本体４６と一体に形成することにより、部品点数を低減することができる。また、カム本体４６は前後動しないため、第１実施形態と同様に、回転ドラム５０は前後動することなく周方向にのみ移動して表示５０ａが切り替わるため、窓１４ａから眺めた表示５０ａの切り替わりがスムーズで非常に見栄えが良いものとなっている。さらに、回転ドラム５０が前後動しないため、回転ドラム５０の軸方向の大きい範囲に亘って文字または絵等の表示５０ａ領域をとることができ、それに合わせて窓１４ａを大きくすることができる。
【００３９】
また、窓１４ａ内に設けられる透明体にレンズ効果を持たせることにより、回転ドラム３２、５０の表示３２ｂ、５０ａが拡大されるので、より使用者の興味を引かせることができる。
【００４０】
この窓１４ａ内の透明体は、後筒１４、１４’の窓１４ａ以外の部分と共に二色成形またはインサート成形の手法により一体に成形することができる。または、図８に示すように、後筒１４、１４’を全体的に透明の樹脂で成形し、窓１４ａの周囲の部分に有色の印刷Ｐを施して、窓１４ａから回転ドラムを透視可能とすることもできる。または、別途、窓を構成する透明体を用意し、窓１４ａ内にはめ込むことも可能である。勿論、窓１４ａを単なる透孔とするこも可能であるが、窓１４ａ内に透明体または透明樹脂が設けられることにより、窓１４ａから筆記具内に埃、ゴミ等が侵入することを防ぐことができる。
【００４１】
尚、以上の実施形態では、筆記媒体としてレフィールである場合について説明したが、これに限るものではなく、筆記媒体として芯を含む芯送り出し機構とすることもできる。芯送り出し機構は、芯を挟持するチャックと、チャックに連結された芯タンクを有しており、チャック及び芯タンクは、チャックスプリングにより後方へ付勢されており、その後方位置が、カム筒に規制されていてもよい。そして、カム筒が前進位置と後退位置とに前後動することにより、チャック及び芯タンクが連動して前後動して、芯を所定量ずつ繰り出すシャープペンシルに適用することができる。
【００４２】
【発明の効果】
以上説明したように、請求項１ないし８記載の発明によれば、回転ドラムの回転により窓から見える文字または絵等が変化するために、使用者の興味をより引かせることができる。
【００４３】
カム筒の前後動に拘わらず、回転ドラムが軸方向に移動不動となっており、カム筒の回転と共に回転ドラムは周方向にのみ移動するので、回転ドラムにシャクリ等が発生することなく、窓から見える文字または絵等の表示を見栄えの良いものとすることができる。また、回転ドラムが前後動しないために窓を大きく使用することができ、文字または絵等の表示範囲を大きくすることができる。
【００４４】
請求項２記載の発明によれば、多角形状孔と多角形状外周面との嵌入により、簡単に両者を連結することができる。
【００４５】
請求項４記載の発明によれば、回転ドラムがカム本体と一体に形成されるため、部品点数が低減できると共に、カム本体は前後動しないため、カム本体の回転と共に回転ドラムは周方向にのみ移動するので、回転ドラムにシャクリ等が発生することなく、窓から見える文字または絵等を見栄えの良いものとすることができる。また、回転ドラムが前後動しないために窓を大きく使用することができ、文字または絵等の表示範囲を大きくすることができる。
【００４６】
請求項５記載の発明によれば、窓の透明体がレンズとなっているために、回転ドラムに施された文字または絵が拡大されて、より使用者の興味を引かせることができる。また、透明体によって、窓から埃・ゴミなどが筆記具内に侵入することを防ぐことができる。
【００４７】
請求項６記載の発明によれば、二色成形またはインサート成形により簡単に窓と外筒を一体に成形することができる。また、透明体によって、窓から埃・ゴミなどが筆記具内に侵入することを防ぐことができる。
【００４８】
請求項７及び８記載の発明によれば、外筒に簡単に窓を形成することができる。また、透明樹脂または透明体によって、窓から埃・ゴミなどが筆記具内に侵入することを防ぐことができる。
【図面の簡単な説明】
【図１】本発明によるノック式筆記具の実施形態を表す全体図である。
【図２】図１の縦断面図である。
【図３】図２の３−３線に沿って見た断面図である。
【図４】カム筒と回転ドラムの分解斜視図である。
【図５】カム本体、カム筒、回転ドラムの展開図である。
【図６】本発明によるノック式筆記具の第２の実施形態を表す全体縦断面図である。
【図７】第２実施形態のカム本体、カム筒、回転ドラムの展開図である。
【図８】第１実施形態の変形例を表す全体縦断面図である。
【符号の説明】
１０、１０’  外筒
１４ａ  窓
１８  レフィール（筆記媒体）
２２、４２  回転カム機構
２４、４４  カム筒
２４ｃ  多角形状外面
２６、４６  カム本体
２８、４８  カムバー
３０  ノック体
３２、５０  回転ドラム
３２ａ  多角形状孔
３２ｂ、５０ａ  表示
【図１】
0003768057.tif 000002
【図２】
0003768057.tif 000003
【図３】
0003768057.tif 000004
【図４】
0003768057.tif 000005
【図５】
0003768057.tif 000006
【図６】
0003768057.tif 000007
【図７】
0003768057.tif 000008
【図８】
0003768057.tif 000009